(57)【特許請求の範囲】
【請求項１】
ケースにエゼクタを組み込み、発生する排気を消音して排気口から排出するエゼクタ装置において、
上記エゼクタのディフューザから排出される排気を消音するための消音室を、上記ケース内のディフューザの出口側に設け、
上記ディフューザの先端開口と対向して消音室を形成するケースで閉止された空間に吸音材を備え、
上記ケースが、上記吸音材に衝突した消音室の排気を折り返させてケースの外部壁面に沿う方向に向けて大気に排出させる上記排気口を備えている、
ことを特徴とするエゼクタ装置。
【請求項２】
ケースの外部壁面に、排気を整流して所望の位置に導く案内溝を設けた、
ことを特徴とする請求項１に記載したエゼクタ装置。
【発明の詳細な説明】
【０００１】
【産業上の利用分野】
本発明は、消音室を有するエゼクタ装置に関するものである。
【０００２】
【従来の技術】
エゼクタ装置から排出される排気を直接作業環境に排出すると、排気の排出音によって作業環境を悪化させるので、公知のエゼクタ装置は、該エゼクタ装置の排気口に取付けたサイレンサから、またはエゼクタ装置に組み込んだサイレンサを介して該エゼクタ装置の排気口から、作業環境に排出している。
しかしながら、エゼクタ装置の排気口にサイレンサを取付けた場合は、サイレンサを取付けるためのスペースに加えて、サイレンサの周囲に排気を排出するためのスペースが必要になるので、装置全体の占有スペースが大きくなるという問題がある。
一方、エゼクタ装置にサイレンサを組み込んだ場合は、サイレンサをエゼクタ装置に取付けた場合に比べて占有スペースを小さくすることができるが、排気の排出方向が排気口の開設方向によって定まるために、エゼクタの設置姿勢が制約されるという問題がある。
【０００３】
【発明が解決しようとする課題】
本発明が解決しようとする課題は、占有スペースが小さく、しかも設置姿勢の制約がないエゼクタ装置を提供することにある。
【０００４】
【課題を解決するための手段】
上記課題を解決するため、本発明は、ケースにエゼクタを組み込み、発生する排気を消音して排気口から排出するエゼクタ装置において、上記エゼクタのディフューザから排出される排気を消音するための消音室を、上記ケース内のディフューザの出口側に設け、上記ディフューザの先端開口と対向して消音室を形成するケースで閉止された空間に吸音材を備え、上記ケースが、上記吸音材に衝突した消音室の排気を折り返させてケースの外部壁面に沿う方向に向けて大気に排出させる上記排気口を備えていることを特徴とするものである。
上記エゼクタ装置においては、ケースの外部壁面に、排気を整流して所望の位置に導く案内溝を設けることができる。
【０００５】
【作用】
ディフューザから排出された排気は、消音室に設けた吸音材に衝突し、これによって速度エネルギーが奪われて消音され、排気口からケースの壁面に沿って排出される。
したがって、排気口の開口部側のスペースが小さい場合でも、エゼクタの性能を損なうことなく排気を排出することができる。
また、ケースの壁面に設けた案内溝によって排気を整流するので、排気をケース壁面の所望の位置に導くことができる。
【０００６】
【実施例】
図１ないし図３は本発明の第１実施例を示し、このエゼクタ装置１は、ケース２，２に組み込まれたエゼクタ３と、ケース２，２によって形成された消音室４とを備えている。
上記エゼクタ３は、ノズル６を有するボディ７と、ノズル６の延長線上においてボディ７に気密に組み付けられたディフューザ８とを備え、ボディ７に設けた圧縮空気の供給口９と吸引口１０に、ワンタッチ管継手１１，１１が取付けられている。
【０００７】
上記消音室４は、ケース２，２に設けたディフューザ８を固定するための仕切壁１３，・・によってエゼクタ３側と区画され、ディフューザ８の先端開口に対向させて吸音材１４が取付けられており、ケース２，２に、消音室４から排出される排気を、その側壁２ａ，２ａに沿う方向に向けて排出させる排気口１５が開設され、消音室４内に、該室内の排気を排出口１５の開設方向に向ける補助吸音材１６が取付けられている。また、側壁２ａ，２ａに、該側壁に沿って流れる排気を整流して所望の位置に案内する案内溝１７が形成されており、案内溝１７の表面は、排気の剥離を小さくするために、滑らかにされている。
上記吸音材１４と補助吸音材１６は、多孔質で、かつエゼクタ３から空気と共に噴出される油分、水分、塵埃等の微小固形物によって目詰まりをしない素材によって形成され、吸音材１４のディフューザ８の先端開口との対向面に、溝１４ａが形成されている（図３参照）。
上記実施例における排気口１５や案内溝１７は、数値解析等による流体力学的特性を考慮した形状とし、また消音室４や吸音材１４等を、数値解析等により音響、消音特性を考慮した形状、材質とすることは勿論である。
図１中の符号１９，１９は、エゼクタ装置１を取付けるためのボルト（図示省略）の通し孔である。
【０００８】
上記第１実施例は、供給口９と吸引口１０に取付けたワンタッチ管継手１１，１１にチューブ（図示省略）を接続し、このチューブを介して供給口９からノズル６に圧縮空気を供給すると、ノズル６から噴出する圧縮空気によって吸引口１０から空気が吸引され、これらの空気は、ディフューザ８の先端開口から消音室４に噴出する。消音室４に噴出した空気は、吸音材１４に衝突して速度エネルギーが奪われて消音され、速度エネルギーを消失した排気は、排気口１５からケース２，２の側壁２ａ，２ａに沿う方向に排出され、案内溝１７で整流されてケース２，２の所望の位置において大気に放出される。この際に、排気口１５周辺の大気を巻き込むことによって排気がさらに減速されるので、極めて静穏に排出される。
したがって、ケース２，２の周囲、特に排気口１５の開口側に十分なスペースがなくても、エゼクタ３の性能を損なうことなく排気することができるので、占有スペースが小さく、しかも設置姿勢の制約がない。
【０００９】
図４ないし第６図は本発明の第２実施例を示し、第２実施例のエゼクタ装置２０の消音室２１は、２個の排気口１５，１５と補助吸音材１６，１６とを有し、ケース２２，２２の両側の壁面２２ａ，２２ａに、案内溝１７，１７が形成されている。
第２実施例の他の構成及び作用は第１実施例と同じであるから、図の主要な箇所に同一の符号を付して、詳細な説明は省略する。
【００１０】
【発明の効果】
本発明のエゼクタ装置は、消音室から排出される排気を、排気口によってケースの壁面に沿う方向に排出させ、またはこの排気を案内溝で整流してケースの所望の位置において大気に放出させるために、エゼクタ装置の周囲、特に排気口の開口側のスペースが小さい場合でも、エゼクタの性能を損なうことなく排気を排出できるので、消音室を組み込んだエゼクタ装置を、占有スペースが小さく、しかも設置姿勢の制約がないものとすることができる。
【図面の簡単な説明】
【図１】図２のＡ−Ａ断面図である。
【図２】第１実施例の裏面図である。
【図３】吸音材の断面図である。
【図４】第２実施例の縦断面図である。
【図５】図４のＢ−Ｂ断面図である。
【図６】第２実施例の側面図である。
【符号の説明】
１，２０  エゼクタ装置
２，２２  ケース
２ａ，２２ａ  壁面
３  エゼクタ
４，２１  消音室
８  ディフューザ
１４  吸音材
１５  排気口
１７  案内溝
【図１】
0003605419.tif 000002
【図２】
0003605419.tif 000003
【図３】
0003605419.tif 000004
【図４】
0003605419.tif 000005
【図５】
0003605419.tif 000006
【図６】
0003605419.tif 000007